(57)【要約】【課題】本発明は魚釣用電動リールに関し、スプール駆動モータの放熱性能を高めて、加熱によるモータ性能の低下を防止したスプールインタイプの魚釣用電動リールを提供することを目的とする。【解決手段】リール本体の側板間に回転自在に支持されたスプールの釣糸巻回胴部内の収容部に、スプールを巻取り駆動するスプール駆動モータを収容した魚釣用電動リールに於て、上記スプール駆動モータを、収容部内に水密性を以って収容すると共に、スプールの釣糸巻回領域に、上記収容部とスプール外部とを連通させる通路を設けたことを特徴とする。そして、請求項２に係る発明は、請求項１に記載の魚釣用電動リールに於て、通路は、スプールの釣糸巻回胴部を貫通する貫通孔からなることを特徴とする。【選択図】      図３
2005013137.tif 000002
【特許請求の範囲】
【請求項１】
リール本体の側板間に回転自在に支持されたスプールの釣糸巻回胴部内の収容部に、スプールを巻取り駆動するスプール駆動モータを収容した魚釣用電動リールに於て、
上記スプール駆動モータを、収容部内に水密性を以って収容すると共に、スプールの釣糸巻回領域に、上記収容部とスプール外部とを連通させる通路を設けたことを特徴とする魚釣用電動リール。
【請求項２】
通路は、スプールの釣糸巻回胴部を貫通する貫通孔からなることを特徴とする請求項１に記載の魚釣用電動リール。
【請求項３】
通路は、スプールのスプールフランジの内側面に沿って設けられた溝と、当該溝と連通してスプールを貫通する貫通孔とからなることを特徴とする請求項１または請求項２に記載の魚釣用電動リール。
【発明の詳細な説明】
【０００１】
【発明の属する技術分野】
本発明は、リール本体に回転自在に支持されたスプールを巻取り駆動するスプール駆動モータを、スプールの釣糸巻回胴部内に収容した魚釣用電動リールに関する。
【０００２】
【従来の技術】
従来周知のように魚釣用リールは、海水，水，異物等が浸入，付着し易い厳しい状況下で使用されるため、実釣時にリール本体内の駆動部に水や異物等が浸入，付着しないようにしなければならない。とりわけ、スプール駆動モータ（以下、「スプールモータ」という）等の電装部品が装着された魚釣用電動リール（以下、「電動リール」という）にあっては、特に防水面での配慮が厳しく要求されている。
【０００３】
このため、スプールの釣糸巻回胴部内の収容部にスプールモータを収容した所謂スプールインタイプの電動リールに於ても、従来、スプールモータに対する様々な防止対策が施されている。
而して、電動リールは、実釣時に張力のかかった釣糸をスプールモータで巻き上げる構造上、スプールモータは発熱する。
【０００４】
しかし、上述したようにスプールインタイプの電動リールは、スプールモータがスプールの釣糸巻回胴部内に水密性を以って収容されているため、スプールモータの放熱性が悪く、長時間に亘る使用でスプールモータが加熱し、モータ性能が低下して巻上げ効率が悪くなってしまうといった構造上の問題点が指摘されている。
【０００５】
そこで、昨今、このようなスプールモータの放熱性の不具合を解消すべく、スプールフランジの外側面に吸水性の高い材料からなる吸水部材を取り付け、釣糸の巻回時に、釣糸に付着している水滴をこの吸水部材に集めてスプールを冷却することで、スプールモータの放熱性の向上を図った電動リールが知られている（特許文献１参照。）。
【０００６】
【特許文献１】
実開昭６４−１７１７０号公報（第１頁、第１図）
【０００７】
【発明が解決しようとする課題】
而して、上記電動リールは、釣糸の巻回時に、釣糸に付着する水滴がスプールフランジ外周とリール本体との微小間隙から内部に浸入する現象を利用し、斯様に内部に浸入する水滴を吸水部材で集めてスプールの冷却を図るものであるが、釣糸はスプールの釣糸巻回胴部に巻回されるため、巻回領域外のスプールフランジの外側面に取り付けた吸水部材に、釣糸に付着した水滴を安定して吸水させることができないのが実情であった。
【０００８】
また、この従来例は、吸水部材に吸水された水でスプールフランジを冷却する構成のため、スプールモータとの離間距離が大きく放熱効率が悪いといった不具合も指摘されている。
本発明は斯かる実情に鑑み案出されたもので、スプールモータの放熱性能を高めて、加熱によるモータ性能の低下を防止したスプールインタイプの電動リールを提供することを目的とする。
【０００９】
【課題を解決するための手段】
斯かる目的を達成するため、請求項１に係る発明は、リール本体の側板間に回転自在に支持されたスプールの釣糸巻回胴部内の収容部に、スプールを巻取り駆動するスプールモータを収容した電動リールに於て、上記スプールモータを、収容部内に水密性を以って収容すると共に、スプールの釣糸巻回領域に、上記収容部とスプール外部とを連通させる通路を設けたことを特徴とする。
【００１０】
そして、請求項２に係る発明は、請求項１に記載の電動リールに於て、通路は、スプールの釣糸巻回胴部を貫通する貫通孔からなることを特徴とし、請求項３に係る発明は、請求項１または請求項２に記載の電動リールに於て、通路は、スプールのスプールフランジの内側面に沿って設けられた溝と、当該溝と連通してスプールを貫通する貫通孔とからなることを特徴とする。
【００１１】
（作用）
各請求項に係る発明によれば、釣糸巻回時に、釣糸に付着する水分がスプールの釣糸巻回領域に設けた通路から収容部内に流入して、スプールモータの冷却を図ることとなる。
また、請求項３に係る発明によれば、釣糸巻回後も、必要に応じスプールフランジの内側面に沿って設けた通路から釣糸巻回胴部内に水や冷却材を外部から注入することが可能となる。
【００１２】
【発明の実施の形態】
以下、本発明の実施形態を図面に基づいて詳細に説明する。
図１乃至図４は請求項１及び請求項２に係る電動リールの第一実施形態を示し、図１に於て、１はフレーム３の左右の側枠５，７に側板９，１１が着脱自在に装着されたリール本体、１３はスプールで、フレーム３の左側の側枠５に、後述する筒状の収容体（モータケース）１５が取り付く支持板（セットプレート）１７がネジ１９で固定され、反対側の側板１１の下方に、手動巻取り駆動機構２１のハンドル２３が回転可能に取り付けられている。
【００１３】
而して、スプール１３の左右のスプールフランジ２５，２７間に位置する釣糸巻回胴部２９内には、スプール１３と軸心を同じくしてスプールフランジ２５側に開口する断面円形形状の凹状の収容部３１が設けられており、スプール１３のスプーフランジ２５側は、当該収容部３１に収容された収容体１５の外周に軸受３３を介して回転可能に支持されている。また、スプール１３のスプールフランジ２７側は、その外側面にビス止めしたブラケット３５と、側枠７にネジ止めした支持板（セットプレート）３７との間に装着した軸受３９を介してリール本体１に回転可能に支持されている。
【００１４】
そして、上記収容体１５内に、これと軸心を同じくしてスプールモータ４１が収容されており、その左モータ軸４３は、支持板１７に突設した筒状の軸受支持部４５内に一方向クラッチ４７を介して支持されている。
図１乃至図４に示すように収容体１５はフレーム３や支持板１７と別体で、前記収容部３１内に若干の間隙を空けて収容可能な円筒状に成形されており、支持板１７側に開口するその開口部（モータ出入口）４９の外周に、径方向外方へ突出する環状のフランジ部５１が設けられている。
【００１５】
一方、図３及び図４に示すように支持板１７には、上記開口部４９の内周に沿って位置決め用の係合突起５３が環状に突設されており、当該係合突起５３に収容体１５の開口部４９を係合させてフランジ部５１を支持板１７にネジ１９で固定することで、収容体１５が支持板１７に一体的に取り付くようになっている。そして、係合突起５３の外周に設けた凹部５５内には、Ｏ−リング等の弾性シール部材５７が介装されており、当該弾性シール部材５７によって収容体１５と支持板１７の接合部分の水密性が確保されている。
【００１６】
更に、スプールモータ４１の水密性を確保するため、スプールモータ４１の左モータ軸４３側の端面６１と既述した軸受支持部４５の先端との間に環状の弾性シール部材６３が介装されると共に、当該軸受支持部４５の内周に筒状の弾性シール部材６５が一方向クラッチ４７との間に介装されている。そして、スプールモータ４１の電気接点６７に接続された電気ライン６９が支持板１７を貫通して配線されているが、当該電気ライン６９と支持板１７との間にも弾性シール部材７１が介装されて、収容体１５に対する水密性が確保されている。
【００１７】
そして、図４中、７３は収容体１５内に収容されたスプールモータ４１の回転を防止する回止め機構で、当該回止め機構７３は支持板１７から軸方向に伸びる支持体７５と、当該支持体７５が係合可能にスプールモータ４１の端面６１に形成された凹部７７とで構成されている。
一方、図４に示すように収容体１５は、スプールモータ４１の右モータ軸７９側もそのまま開口し、この開口部８１から右モータ軸７９が側板１１方向に突出しているが、開口部８１の周縁部には内方へ屈曲した縮径部８３が設けられている。そして、当該開口部８１を覆って、スプールモータ４１の端面８５の形状に沿って硬質材料で成形されたキャップ８７が縮径部８３に冠着されている。
【００１８】
キャップ８７は、縮径部８３に嵌合する外端部８９と、右モータ軸７９が挿通するモータ軸挿通孔９１が中央に形成された内周縁部９３と、これらを連結して開口部８１を閉塞するキャップ本体部９５とからなり、外端部８９は前記縮径部８３の凹部９７内に装着した弾性シール部材９９に圧接して、その嵌合部分の水密性が確保されている。
【００１９】
また、右モータ軸７９が挿通するモータ軸挿通孔９１から収容部３１への水の浸入を防止するため、キャップ８７とスプールモータ４１の端面８５との間に略筒状の弾性シール部材１０１が介装されている。
【００２０】
図４に示すように弾性シール部材１０１は、スプールモータ４１の軸受部１０３の外周と端面８５との間にキャップ８７で挟持される外端フランジ部１０５と、右モータ軸７９の外周にシール状態で接触する内周縁部１０７とで構成されており、この弾性シール部材１０１によってモータ軸挿通孔９１からの水の浸入防止が図られている。そして、キャップ８７は、スプール１３の内周から径方向に突設された円盤状の支持部１０９に軸受１１１を介して支持されており、スプール１３は、既述した軸受３３，３９とこの軸受１１１によってリール本体１に回転可能に支持されている。
【００２１】
このように本実施形態は、スプールモータ４１を釣糸巻回胴部２９の収容部３１内に装着するに当たり、弾性シール部材５７，６３，６５，７１，９９，１０１を用いてスプールモータ４１を収容体１５内に収容し、これらを収容部３１内に収容してスプールモータ４１に対する水密性を確保したが、この反面、斯様に水密性を以ってスプールモータ４１を釣糸巻回胴部２９内に収容すると、スプールモータ４１の放熱性が悪く、長時間に亘る使用でスプールモータ４１が加熱してしまう虞がある。
【００２２】
そこで、図１乃至図４に示すように本実施形態は、スプール１３の釣糸巻回領域である釣糸巻回胴部２９の周方向と軸方向に、収容部３１に通じる円形状の貫通孔からなる通路１１３を複数設けて、釣糸巻回胴部２９に巻回された釣糸１１５に付着している水分がこの通路１１３から収容部３１内に流入するようにしたもので、収容体１５は駆動するスプールモータ４１の熱で加熱しているため、収容部３１内に流入した水分は収容体１５の熱で気化し、この気化熱でスプールモータ４１の放熱が図られるようになっている。
【００２３】
そして、この通路１１３は、上述したように釣糸１１５に付着している水分を収容部３１内に誘導する水路や、水分が気化する際の蒸気路として機能する他、モータ熱の放熱空気路としても機能する。
【００２４】
このように本実施形態は、通路１１３から収容部３１内に流入した水分が、収容体１５の熱で気化する気化熱を利用してスプールモータ４１の放熱を図ったもので、既述したように収容体１５内に収容されたスプールモータ４１は、弾性シール部材５７，６３，６５，７１，９９，１０１によって水密性が確保されているため、通路１１３を通って収容部３１内に流入した水分が収容体１５内に浸入することはない。
【００２５】
その他、図１中、１１７は３つの遊星歯車機構１１９，１２１，１２３からなる従来周知の減速機構で、当該減速機構１１７はモータ軸挿通孔９１から突出する右モータ軸７９に連結されている。
そして、右モータ軸７９と側板１１との間に、手動巻取り駆動機構２１からの巻取り動力を減速機構１１７に伝達する回転駆動軸１２５が右モータ軸７９と同軸上に取付けられており、当該回転駆動軸１２５は３つの軸受１２７，１２９，１３１を介して前記ブラケット３５と側板１１間に回動自在に支持されている。そして、回転駆動軸１２５に第３の遊星歯車機構１２３のキャリア１３３が係止ピン１３５を介して連結されている。
【００２６】
更に、回転駆動軸１２５上には、釣糸１１５の繰り出しで回転するスプール１３に制動力を付与し乍ら、スプール１３の釣糸繰出し方向への回転を許容する制動作用を与えると共に、この制動作用を利用してスプール１３をスプールフリー状態と釣糸巻取り状態とに切り換える従来周知のドラグ装置１３７が装着されており、回転駆動軸１２５上の側板１１にドラグ装置１３７のドラグ力を調節するドラグレバー１３９が取り付けられている。
【００２７】
そして、ドラグ装置１３７を構成する押圧体１４１の外周にピニオン１４３が当該押圧体１４１と一体回転可能に嵌合し、このピニオンギヤ１４３に手動巻取り駆動機構２１のドライブギヤ１４５が噛合している。
【００２８】
従来周知のように手動巻取り駆動機構２１は、図１に示すようにハンドル２３と、当該ハンドル２３が取り付くハンドル軸１４７と、これに回止め嵌合されたドライブギヤ１４５とで構成されており、ハンドル軸１４７の挿入先端側には、スプール１３をスプールモータ４１で巻取り駆動した際に、これに連動してハンドル軸１４７が回転しないようにその逆転防止を図る逆転防止装置１４９が設けられている。
【００２９】
この逆転防止装置１４９は、ハンドル軸１４７に回止め嵌合されたラチェット１５１と、当該ラチェット１５１に対し一定の付勢力で常時係止する係止爪（図示せず）とからなり、スプールモータ４１でスプール１３を巻取り駆動した際に、その回転方向ではラチェット１５１に係止爪が係止方向で噛み合ってラチェット１５１の回転、即ち、ハンドル軸１４７の回転が阻止されるようになっている。
【００３０】
従って、スプールモータ４１の駆動力は、減速機構１１７を介してスプール１３のみに伝達されることとなる。また、これに対し、ハンドル操作でスプール１３を釣糸巻取り方向に回転させた場合、その回転方向では係止爪がラチェット１５１の回転を許容するように構成され、この結果、ハンドル２３の回転操作に連動してハンドル軸１４７を回転させることができるようになっている。
【００３１】
そして、図１中、１５３は電動リール１５５のコネクタ１５７に接続した給電コードを示す。
本実施形態はこのように構成されており、スプールモータ４１をスプール１３の収容部３１に収容するには、先ず、弾性シール部材６３，１０１が装着されたスプールモータ４１を、弾性シール部材９９を介してキャップ８７が端部に冠着された収容体１５内に収容する。これにより、弾性シール部材１０１の外端フランジ部１０５がスプールモータ４１の端面８５とキャップ８７とで挟持され、モータ軸挿通孔９１から右モータ軸７９が所定の同芯度を以って突出する。
【００３２】
そして、支持板１７に突設した支持体７５をスプールモータ４１の凹部７７に係合させてスプールモータ４１の回り止めを図り乍ら、一方向クラッチ４７が装着された左モータ軸４３を支持板１７の軸受支持部４５内に挿入した後、フランジ部５１を支持板１７にネジ１９で固定すればよく、ネジ１９の締付けで収容体１５は支持板１７に圧接し、これによりスプールモータ４１は、弾性シール部材６３，１０１を介して支持板１７と収容体１５，キャップ８７との間でガタ付くことなく保持される。
【００３３】
また、ネジ１９を締め込んでいく過程で、スプールモータ４１は、弾性シール部材６３，６５，１０１の弾性作用によって左右のモータ軸４３，７９の同芯度が微調整される。
そして、斯様に収容体１５が固着された支持板１７をフレーム３の側枠５にネジ１９で固定すればよく、ネジ１９を締め込んでいく過程で、弾性シール部材６３，６５，１０１の弾性作用によってスプールモータ４１の左右のモータ軸４３，７９がスプール１３や回転駆動軸１２５の軸芯と一致するように微調整され、また、スプールモータ４１の駆動時に於ても、弾性シール部材６３，６５，１０１の弾性作用によって左右のモータ軸４３，７９がスプール１３や回転駆動軸１２５の軸芯と一致するように微調整されることとなる。
【００３４】
更に、各弾性シール部材５７，６３，６５，７１，９９，１０１が、収容体１５内部への海水や異物等の浸入を防止する。
そして、実釣時にスプールモータ４１の駆動や、ハンドル２３の巻取り操作でスプール１３の釣糸巻回胴部２９に釣糸１１５が巻回されるが、巻回された釣糸１１５に付着する水分が、釣糸巻回胴部２９に設けた複数の通路１１３から収容部３１内に流入する。そして、収容部３１に収容されている収容体１５は、駆動するスプールモータ４１の熱で加熱しているため、収容部３１内に流入した水分は収容体１５の熱で気化し、この気化熱でスプールモータ４１の放熱が行われることとなる。
【００３５】
このように本実施形態は、スプール１３の釣糸巻回胴部２９に、収容部３１に通じる通路１１３を複数設けたので、既述した特許文献１の従来例に比し釣糸１１５に含まれる水分を釣糸巻回時に安定して収容部３１内に誘導できることとなって、スプールモータ４１の放熱を効率良く行え、加熱によるモータ性能低下を確実に防止することが可能となった。
【００３６】
また、本実施形態は、支持板１７をフレーム３に着脱自在に構成すると共に、収容体１５を当該支持板１７から着脱自在に構成したので、長期に亘る使用で通路１１３から収容部３１内に異物等が入り込んでも、メンテナンスが容易である利点を有する。
図５は請求項１及び請求項２に係る電動リールの第二実施形態を示し、本実施形態は、既述した弾性シール部材１０１に代え、スプールモータ４１の右モータ軸７９の外周に接触する内周縁部１０７−１の近傍に当該右モータ軸７９を軸芯とする環状の凹部１５９を設けることにより、内周縁部１０７−１を部分的に薄肉化して容易に弾性変形し易くした弾性シール部材１０１−１を用いたことを特徴とする。
【００３７】
尚、その他の構成は上記第一実施形態と同様であるので、同一のものに同一符号を付してそれらの説明は省略する。
而して、本実施形態に係る電動リール１５５−１によれば、スプールモータ４１の放熱を効率良く行え、加熱によるモータ性能低下を確実に防止することができると共に、スプールモータ４１の組付時に、スプールモータ４１の軸受部１０３の外周と端面８５との間で弾性シール部材１０１−１がキャップ８７で挟持されて引っ張られて変形しても、凹部１５９を設けて弾性変形し易くした薄肉部分が伸びてその変形を吸収するため、右モータ軸７９の外周と内周縁部１０７−１との接触状態が安定して確実なシール性を確保することができる利点を有する。
【００３８】
図６は請求項１及び請求項２に係る電動リールの第三実施形態を示し、本実施形態は、第一実施形態の円形状の通路１１３に代え、スプール１３−１の釣糸巻回胴部２９−１に、スプール１３−１の軸方向に伸びるスリット状の貫通孔を周方向へ等間隔に複数設けて、これらを収容部３１に通じる通路１６１としたものである。
【００３９】
尚、その他の構成は図１の第一実施形態と同様であるので、同一のものには同一符号を付してそれらの説明は省略する。
而して、本実施形態にあっても、実釣時に釣糸巻回胴部２９−１に巻回された釣糸１１５中の水分が、複数の通路１６１から収容部３１内に流入して収容体１５の熱で気化するため、気化熱を利用してスプールモータ４１の放熱が行われることとなる。
【００４０】
従って、本実施形態に係る電動リール１５５−２によっても、既述した各実施形態と同様、所期の目的を達成することが可能で、スプールモータ４１の放熱を効率良く行え、加熱によるモータ性能低下を確実に防止することができることとなった。
図７は請求項１及び請求項２に係る電動リールの第四実施形態を示し、本実施形態は、既述した支持板１７と同様、フレーム３の側枠５に着脱自在な支持板１７−１に、既述した収容体１５と同一形状の収容体１５−１を一体成形したもので、その他の構成は図１の第一実施形態と同様であるため、同一のものには同一符号を付してそれらの説明は省略する。
【００４１】
而して、本実施形態に係る電動リール１５５−３によっても、弾性シール部材６３，６５，７１，９９，１０１によるシール作用でスプールモータ４１の確実な水密性が確保されると共に、実釣時に、釣糸巻回胴部２９に巻回された釣糸１１５に付着した水分が、複数の通路１１３から収容部３１内に流入して収容体１５−１の熱で気化するため、気化熱を利用してスプールモータ４１の放熱が効率良く行え、加熱によるモータ性能低下を確実に防止することができる利点を有する。
【００４２】
図８は請求項１乃至請求項３に係る電動リールの一実施形態を示し、本実施形態に係る電動リール１５５−４は、図１の実施形態の構成に加え、スプール１３−２の釣糸巻回領域であるスプールフランジ２５−１の内側面に沿ってスプール１３−２の径方向に設けた溝１６３と、当該溝１６３と同軸上を連通して収容部３１に至る貫通孔１６５とからなる通路１６７をスプール１３−２に複数設けたもので、釣糸巻回後も、当該通路１６７から釣糸巻回胴部２９−２（収容部３１）内に、水や冷却材を外部から注入できるようにしたものである。
【００４３】
而して、本実施形態によれば、上述した各実施形態と同様、所期の目的を達成することが可能であることは勿論、釣糸巻回後も、必要に応じ通路１６７から釣糸巻回胴部２９−２内に水や冷却材を外部から注入することができるため、実釣時に於けるモータ放熱の幅広い対応が可能となる利点を有する。
尚、釣糸巻回領域に形成される通路の形状や個数，配置等は、必要に応じ適宜変更されるものである。
【００４４】
【発明の効果】
以上述べたように、各請求項に係る発明によれば、スプールの釣糸巻回領域に、スプールモータを収容する収容部に通じる通路を設けたので、釣糸に付着した水分を釣糸巻回時に安定して収容部内に誘導できることとなってスプールモータの放熱を効率良く行え、加熱によるモータ性能低下を確実に防止することが可能となった。
【００４５】
また、請求項３に係る発明によれば、釣糸巻回後も、必要に応じ通路から釣糸巻回胴部内に水や冷却材を外部から注入することができるため、実釣時に於けるモータ放熱の幅広い対応が可能となる利点を有する。
【図面の簡単な説明】
【図１】請求項１及び請求項２の第一実施形態に係る電動リールの断面図である。
【図２】スプールの釣糸巻回胴部の断面図である。
【図３】図１に示す電動リールの要部拡大断面図である。
【図４】図１に示す電動リールの要部拡大断面図である。
【図５】請求項１及び請求項２の第二実施形態に係る電動リールの収容体の取付構造とそのシール構造を示す要部拡大断面図である。
【図６】請求項１及び請求項２の第三実施形態に係る電動リールの要部拡大断面図である。
【図７】請求項１及び請求項２の第四実施形態に係る電動リールの断面図である。
【図８】請求項１乃至請求項３の一実施形態に係る電動リールの断面図である。
【符号の説明】
１  リール本体
３  フレーム
５，７  側枠
９，１１  側板
１３，１３−１，１３−２  スプール
１５，１５−１  収容体
１７，１７−１  支持板
２３  ハンドル
２５，２５−１，２７  スプールフランジ
２９  釣糸巻回胴部
３１  収容部
４１  スプールモータ
８７  キャップ
１１３，１６１  通路
１１５  釣糸
１１７  減速機構
１２５  回転駆動軸
１３７  ドラグ装置
１４５  ドライブギヤ
１４７  ハンドル軸
１５５，１５５−１，１５５−２，１５５−３，１５５−４  電動リール
１５９  凹部
１６３  溝
１６５  貫通孔
【図１】
2005013137.tif 000003
【図２】
2005013137.tif 000004
【図３】
2005013137.tif 000005
【図４】
2005013137.tif 000006
【図５】
2005013137.tif 000007
【図６】
2005013137.tif 000008
【図７】
2005013137.tif 000009
【図８】
2005013137.tif 000010